【手続補正書】
【提出日】平成20年6月3日(2008.6.3)
【手続補正１】
【補正対象書類名】特許請求の範囲
【補正対象項目名】全文
【補正方法】変更
【補正の内容】
【特許請求の範囲】
【請求項１】
表示画面上にて複数の絵柄列を所定の向きに循環するよう変動表示する絵柄表示装置と、
遊技者に有利な特別遊技状態を発生させるか否かを抽選する主制御装置と、
該主制御装置の配下で前記絵柄表示装置を表示制御する表示制御装置と
を備え、
前記主制御装置は、前記抽選結果に基づいて前記複数の絵柄列の変動パターン及び前記表示画面内に停止する停止絵柄を決定し、これら決定結果を変動パターンコマンド、停止絵柄コマンドとして前記表示制御装置に送信し、
前記表示制御装置は、前記変動パターンコマンドの受信に伴って前記複数の絵柄列の変動表示を開始すると共に変動パターンコマンドに基づいた変動パターンにて変動表示を行い、受信した前記停止絵柄コマンドに基づいた停止絵柄で変動表示が終了するよう前記絵柄表示装置を表示制御する遊技機において、
前記主制御装置は、前記変動パターン及び前記停止絵柄の決定結果に基づいて前記複数の絵柄列の変動開始から変動終了までに要する変動時間を判断する第１変動時間判断手段を備え、該変動時間の経過後に前記複数の絵柄列の変動表示を終了させる絵柄終了コマンドを前記表示制御装置に送信し、
前記表示制御装置は、前記変動パターンコマンド及び前記停止絵柄コマンドの受信に基づいて前記変動時間を判断する第２変動時間判断手段を備え、該変動時間の経過時に前記停止絵柄コマンドに基づく停止絵柄が前記表示画面に停止するように、且つ前記絵柄終了コマンドの受信に基づいて前記複数の絵柄列の変動表示を終了させるように前記絵柄表示装置を表示制御することを特徴とする遊技機。
【請求項２】
表示画面上にて複数の絵柄列を所定の向きに循環するよう変動表示する絵柄表示装置と、
遊技者に有利な特別遊技状態を発生させるか否かを抽選する主制御装置と、
該主制御装置の配下で前記絵柄表示装置を表示制御する表示制御装置と
を備え、
前記主制御装置は、前記抽選結果に基づいて前記複数の絵柄列の変動パターン及び前記表示画面内に停止する停止絵柄を決定し、これら決定結果を変動パターンコマンド、停止絵柄コマンドとして前記表示制御装置に送信し、
前記表示制御装置は、前記変動パターンコマンドの受信に伴って前記複数の絵柄列の変動表示を開始すると共に変動パターンコマンドに基づいた変動パターンにて変動表示を行い、受信した前記停止絵柄コマンドに基づいた停止絵柄で変動表示が終了するよう前記絵柄表示装置を表示制御する遊技機において、
前記主制御装置は、前記変動パターン及び前記停止絵柄の決定結果に基づいて前記複数の絵柄列の変動開始から変動終了までに要する変動時間を判断する第１変動時間判断手段を備え、
前記表示制御装置は、前記変動パターンコマンド及び前記停止絵柄コマンドの受信に基づいて前記変動時間を判断する第２変動時間判断手段を備え、該変動時間の経過時に前記停止絵柄コマンドに基づく停止絵柄が前記表示画面に停止するように前記絵柄表示装置を表示制御することを特徴とする遊技機。
【請求項３】
前記変動パターンとして、前記特別遊技状態の発生を期待し得ない通常変動パターンと、前記特別遊技状態の発生を期待し得るリーチ変動パターンとを備えた遊技機にあって、
該リーチ変動パターンは、前記各絵柄列の変動表示開始から１の絵柄列を除く他の絵柄列を停止させてリーチ絵柄を形成するまでのリーチ前変動と、該リーチ前変動から継続して行われる変動であって、前記１の絵柄列を前記停止絵柄コマンドに基づく絵柄で停止するよう該１の絵柄列を変動表示させるリーチ変動とよりなり、
前記表示制御装置は、前記リーチ変動パターンを示す変動パターンコマンドを受信した際に、前記リーチ前変動に要する時間と、前記リーチ前変動終了時における前記１の絵柄列の表示画面に表示される絵柄と、少なくとも前記リーチ変動時における前記１の絵柄列の循環速度とを、前記停止絵柄コマンドの内容に関わらず同一のものとなるよう前記絵柄表示装置を表示制御することを特徴とする請求項１又は２に記載の遊技機。
【請求項４】
前記変動パターンとして、前記特別遊技状態の発生を期待し得ない通常変動パターンと、前記特別遊技状態の発生を期待し得る複数のリーチ変動パターンとを備えた遊技機にあって、
前記複数のリーチ変動パターンには、前記各絵柄列の変動表示開始から１の絵柄列を除く他の絵柄列を停止させてリーチ絵柄を形成するまでのリーチ前変動と、該リーチ前変動から継続して行われる変動であって、前記１の絵柄列を前記停止絵柄コマンドに基づく絵柄で停止するよう該１の絵柄列を変動表示させるリーチ変動とよりなる特定リーチ変動パターンがあり、
前記表示制御装置は、前記特定リーチ変動パターンを示す変動パターンコマンドを受信した際に、前記リーチ前変動に要する時間と、前記リーチ前変動終了時における前記１の絵柄列の表示画面に表示される絵柄と、少なくとも前記リーチ変動時における前記１の絵柄列の循環速度とを、前記停止絵柄コマンドの内容に関わらず同一のものとなるよう前記絵柄表示装置を表示制御することを特徴とする請求項１又は２に記載の遊技機。
【請求項５】
前記各変動時間判断手段は、前記複数の絵柄列の変動表示を前記リーチ変動パターンに基づいて行う場合に、前記１の絵柄列の停止絵柄に関する情報に基づいて前記変動時間を判断することを特徴とする請求項３に記載の遊技機。
【請求項６】
前記各変動時間判断手段は、前記複数の絵柄列の変動表示を前記特定リーチ変動パターンに基づいて行う場合に、前記１の絵柄列の停止絵柄に関する情報に基づいて前記変動時間を判断することを特徴とする請求項４に記載の遊技機。
【請求項７】
前記変動パターンとして、前記特別遊技状態の発生を期待し得ない通常変動パターンと、前記特別遊技状態の発生を期待し得るリーチ変動パターンとを備えた遊技機にあって、
該リーチ変動パターンは、前記各絵柄列の変動表示開始から１の絵柄列を除く他の絵柄列を停止させてリーチ絵柄を形成するまでのリーチ前変動と、該リーチ前変動から継続して行われる変動であって、前記１の絵柄列を前記停止絵柄コマンドに基づく絵柄で停止するよう該１の絵柄列を変動表示させるリーチ変動とよりなり、
前記表示制御装置は、前記リーチ変動パターンを示す変動パターンコマンドを受信した際に、前記リーチ前変動に要する時間と、前記リーチ前変動終了時における前記リーチ絵柄を結ぶライン上に表示される前記１の絵柄列の絵柄と、少なくとも前記リーチ変動時における前記１の絵柄列の循環速度とを、前記停止絵柄コマンドの内容に関わらず同一のものとなるよう前記絵柄表示装置を表示制御することを特徴とする請求項１又は２に記載の遊技機。
【請求項８】
前記表示制御装置は、前記通常変動パターンを示す変動パターンコマンドを受信した際に、前記停止絵柄コマンドの内容に関わらず同一時間にて前記各絵柄列の変動表示が終了するよう前記絵柄表示装置を表示制御し、
前記各変動時間判断手段は、前記複数の絵柄列の変動表示を前記通常変動パターンに基づいて行う場合に、前記停止絵柄に関わらず一義的に前記変動時間を判断することを特徴とする請求項３乃至７のいずれか１項に記載の遊技機。
【請求項９】
前記変動パターンとして、前記通常変動パターンを複数備えた遊技機にあって、
前記表示制御装置は、前記各通常変動パターンと対応する変動パターンコマンドを受信した際に、同一の通常変動パターンであれば前記停止絵柄コマンドの内容に関わらず同一時間にて前記各絵柄列の変動表示が終了するよう前記絵柄表示装置を表示制御し、
前記各変動時間判断手段は、前記複数の絵柄列の変動表示を前記通常変動パターンのいずれかに基づいて行う場合に、前記停止絵柄に関わらず、変動パターンから一義的に前記変動時間を判断することを特徴とする請求項３乃至７のいずれか１項に記載の遊技機。
【請求項１０】
前記各変動時間判断手段は、変動パターン毎に１の算出式を備え、該算出式に基づいて前記変動時間を算出することを特徴とする請求項１乃至９のいずれか１項に記載の遊技機。